(57)【要約】【課題】運搬性の向上および設置部材の共通化を図ることのできる太陽電池モジュールを得ること。【解決手段】本発明は、太陽電池パネル１０と、その外周を囲んで保持する保持枠２０とを備える太陽電池モジュール１００であって、保持枠は、太陽電池パネルの外周側面に沿って設けられる壁部４と、壁部から太陽電池パネル側に張り出して、太陽電池パネルの受光面１０ａの外周部を覆う保持上片５と、壁部から太陽電池パネル側に張り出して、受光面の裏面１０ｂの外周部を覆う保持下片６と、太陽電池パネルの裏面側であって保持下片よりも太陽電池パネルから離れた位置に設けられ、太陽電池パネルの裏面の外周部と対向するように設けられるフランジ部７と、壁部に対してフランジ部を回動可能に連結し、フランジ部を回動させることで壁部よりも外側に移動可能とする連結部８と、を有する。【選択図】図３
2014120642.tif 000002
【特許請求の範囲】
【請求項１】
太陽電池パネルと、その外周を囲んで保持する保持枠とを備える太陽電池モジュールであって、
前記保持枠は、
前記太陽電池パネルの外周側面に沿って設けられる壁部と、
前記壁部から前記太陽電池パネル側に張り出して、前記太陽電池パネルの受光面の外周部のうち少なくともその一部を覆う保持上片と、
前記壁部から前記太陽電池パネル側に張り出して、前記受光面の裏面の外周部のうち少なくともその一部を覆う保持下片と、
前記太陽電池パネルの裏面側であって前記保持下片よりも前記太陽電池パネルから離れた位置に設けられ、前記太陽電池パネルの裏面の外周部と対向するように設けられるフランジ部と、
前記壁部に対して前記フランジ部を回動可能に連結し、前記フランジ部を回動させることで前記壁部よりも外側に移動可能とする連結部と、を有することを特徴とする太陽電池モジュール。
【請求項２】
前記フランジ部が回転する際の回転軸は、前記壁部よりも内側に設けられることを特徴とする請求項１に記載の太陽電池モジュール。
【請求項３】
前記フランジ部は、前記太陽電池モジュールの受光面と略垂直となる位置まで回転されることを特徴とする請求項１または２に記載の太陽電池モジュール。
【発明の詳細な説明】
【技術分野】
【０００１】
本発明は、太陽電池モジュールに関する。
【背景技術】
【０００２】
主にＳｉを原料とするウエハを用いた結晶系の太陽電池モジュールは、太陽電池パネルと保持枠とを備える。太陽電池パネルは、発電素子である太陽電池セルをガラス、封止材、裏面保護材で封止して構成される。保持枠は、太陽電池パネルの周囲を保持する枠部材であり、例えばアルミ合金からなる。
【０００３】
太陽電池モジュールの運搬時には、複数の太陽電池モジュールが積層される。保持枠は、太陽電池パネルを積層して運搬する際に、太陽電池パネルを保護する保護材としても機能する。ここで、積層された太陽電池モジュール同士にずれが生じると、積層された太陽電池モジュールに崩れが生じたり、周囲に衝突して太陽電池パネルが破損したりするおそれがある。
【０００４】
そこで、保護枠に係り止め部を設けることで太陽電池モジュール同士を係合させて、積層された太陽電池モジュール同士のずれを抑える技術が、例えば特許文献１に開示されている。
【先行技術文献】
【特許文献】
【０００５】
【特許文献１】特開２００６―２８６７４８号公報
【発明の概要】
【発明が解決しようとする課題】
【０００６】
しかしながら、上記従来の技術によれば、係り止め部が保持枠の上方や側方に突出しているため、設置時のモジュールピッチの違いなどから、係り止め部が設けられていない太陽電池モジュールとは異なる設置部材を使用しなければならない場合があった。また、係り止め部が保持枠の上方や側方に突出しているため、太陽電池モジュールの取り扱い性が低下してしまう場合があった。
【０００７】
本発明は、上記に鑑みてなされたものであって、運搬性の向上および設置部材の共通化を図ることのできる太陽電池モジュールを得ることを目的とする。
【課題を解決するための手段】
【０００８】
上述した課題を解決し、目的を達成するために、本発明は、太陽電池パネルと、その外周を囲んで保持する保持枠とを備える太陽電池モジュールであって、保持枠は、太陽電池パネルの外周側面に沿って設けられる壁部と、壁部から太陽電池パネル側に張り出して、太陽電池パネルの受光面の外周部のうち少なくともその一部を覆う保持上片と、壁部から太陽電池パネル側に張り出して、受光面の裏面の外周部のうち少なくともその一部を覆う保持下片と、太陽電池パネルの裏面側であって保持下片よりも太陽電池パネルから離れた位置に設けられ、太陽電池パネルの裏面の外周部と対向するように設けられるフランジ部と、壁部に対してフランジ部を回動可能に連結し、フランジ部を回動させることで壁部よりも外側に移動可能とする連結部と、を有することを特徴とする。
【発明の効果】
【０００９】
本発明によれば、運搬性の向上および設置部材の共通化を図ることのできる太陽電池モジュールを得ることができるという効果を奏する。
【図面の簡単な説明】
【００１０】
【図１】図１は、本発明の実施の形態１にかかる太陽電池モジュールを太陽電池セルの受光面側から見た平面図である。
【図２】図２は、図１に示す太陽電池モジュールを太陽電池セルの裏面側から見た図である。
【図３】図３は、図１に示すＡ−Ａ線に沿った矢視断面図である。
【図４−１】図４−１は、図３に示すＢ部分を拡大した部分拡大断面図である。
【図４−２】図４−２は、図３に示すＢ部分を拡大した部分拡大断面図であって、フランジ部が太陽電池モジュールの裏面と垂直にされた状態を示す図である。
【図５】図５は、太陽電池モジュールを積層した状態を示す図である。
【図６】図６は、太陽電池モジュールの設置例を示す図である。
【図７】図７は、太陽電池モジュールの他の設置例を示す図である。
【発明を実施するための形態】
【００１１】
以下に、本発明の実施の形態にかかる太陽電池モジュールを図面に基づいて詳細に説明する。なお、この実施の形態によりこの発明が限定されるものではない。
【００１２】
実施の形態１．
図１は、本発明の実施の形態１にかかる太陽電池モジュールを太陽電池セルの受光面側から見た平面図である。図２は、図１に示す太陽電池モジュールを太陽電池セルの裏面側から見た図である。図３は、図１に示すＡ−Ａ線に沿った矢視断面図である。
【００１３】
太陽電池モジュール１００は、太陽電池パネル１０と保持枠２０とを備える。太陽電池パネル１０は、平面視において略方形の板状形状を呈している。太陽電池パネル１０は、太陽電池セル、接続銅線、封止材を有し、受光面１０ａ側が受光面材で覆われ、裏面１０ｂ側が裏面保護材で覆われる。太陽電池パネル１０は、受光面１０ａに太陽光が照射されることで発電を行う。なお、以下の説明において、太陽電池パネル１０に対して受光面１０ａ側となる方向を上方向とし、その裏面１０ｂ側となる方向を下方向として説明する。
【００１４】
保持枠２０は、太陽電池パネルの外周を保持する枠部材であり、例えばアルミ合金からなる。保持枠２０は、壁部４、保持上片５、保持下片６、フランジ部７、連結部８を備える。壁部４は、太陽電池パネル１０の外周側面に沿って設けられる。
【００１５】
保持上片５は、壁部４から太陽電池パネル１０側に張り出して、太陽電池パネル１０の受光面１０ａの外周部のうち少なくともその一部を覆う。本実施の形態では、保持上片５は、太陽電池パネル１０の受光面１０ａの外周部のほとんどの部分を覆っている。
【００１６】
保持下片６は、壁部４から太陽電池パネル１０側に張り出して、裏面１０ｂの外周部のうち少なくともその一部を覆う。本実施の形態では、保持下片６は、太陽電池パネル１０の裏面１０ｂの外周部のほとんどの部分を覆っている。太陽電池パネル１０は、保持上片５と保持下片６との間にその外周部分が挿入されて保持される。
【００１７】
フランジ部７は、太陽電池パネル１０の裏面１０ｂ側であって保持下片６よりも太陽電池パネル１０から離れた位置に設けられ、太陽電池パネル１０の裏面１０ｂの外周部と対向するように設けられる。フランジ部７は、太陽電池パネル１０の裏面１０ｂと略平行とされる。
【００１８】
図４−１は、図３に示すＢ部分を拡大した部分拡大断面図である。連結部８は、壁部４に対してフランジ部７を回動可能に連結する。連結部８は、壁部４に形成された壁部側連結部１５と、フランジ部７に形成されたフランジ側連結部１６とを有する。
【００１９】
壁部側連結部１５は、壁部４から保持枠２０の内側（太陽電池パネル１０側）に向けて突出する壁部側第１半円部１７を有する。壁部側第１半円部１７の断面形状は、図４−１に示すように、上方に向けて凸となる半円形状を呈している。壁部側第１半円部１７の先端からは、壁部側第１半円部１７が呈する半円形状の中心に向けて直線的に延びる板状の壁部側板状部１８が形成される。そして、壁部側板状部１８の先端からは、断面形状が、保持枠２０の外側に向けて凸となる半円形状を呈する壁部側第２半円部１９が形成される。
【００２０】
次に、フランジ側連結部１６について説明するが、この説明の中で用いる方向は、フランジ部７が太陽電池パネル１０の裏面１０ｂと平行な状態での方向を示している。フランジ側連結部１６は、断面形状が、保持枠２０の外側に向けて凸となる半円形状を呈するフランジ側半円部２３を有する。
【００２１】
フランジ側半円部２３の外径は、壁部側第１半円部１７の内径よりもやや小さく、壁部側第１半円部１７の内側にフランジ側半円部２３が収容される。壁部側第１半円部１７の内側にフランジ側半円部２３が収容された状態で、壁部側第１半円部１７の中心とフランジ側半円部２３の中心は略一致する。また、壁部側第２半円部１９の外径は、フランジ側半円部２３の内径よりもやや小さく、フランジ側半円部２３の内側に壁部側第２半円部１９が収容される。
【００２２】
フランジ側半円部２３の上方となる一端からは、フランジ側半円部２３が呈する半円形状の中心に向けて直線的に延びるフランジ側板状部２４が形成される。フランジ側半円部２３の上方となる他端には、フランジ部７とフランジ側半円部２３とをつなぐ連絡部２５が形成される。
【００２３】
本実施の形態では、連絡部２５の一部が、フランジ部７を含めた筒状形状とされて保持枠２０の強度の確保が図られている。また、連絡部２５のうち筒状形状を構成する壁の一部は、下方に向かうにしたがって内側に寄っていくテーパ壁２５ａとなっている。なお、連絡部２５は、単に板状部材でフランジ部７とフランジ側半円部２３とをつなぐように構成してもよい。
【００２４】
以上のように連結部８が構成されることで、壁部側第１半円部１７の中心（フランジ側半円部２３の中心）を回転中心として、矢印Ｘに示す方向にフランジ部７が回転可能とされる。また、図４−１に示す状態で、壁部側第２半円部１９の先端とフランジ側板状部２４とが当接していること、およびフランジ側半円部２３の他端と壁部側板状部１８とが当接していることによって、矢印Ｘに示す方向と反対方向にフランジ部７が回転することが規制される。
【００２５】
図４−２は、図３に示すＢ部分を拡大した部分拡大断面図であって、フランジ部が太陽電池モジュールの裏面と垂直にされた状態を示す図である。図４−１に示す状態からフランジ部７を矢印Ｘに示す方向に回転させることで、図４−２に示すように、フランジ部７を太陽電池パネル１０の裏面１０ｂと垂直な状態にすることができる。このように、フランジ部７を回転させることで、フランジ部７を壁部４の外側まで移動させることができる。また、フランジ部７を回転させると、テーパ壁２５ａは、下方に向かうにしたがって外側に広がるようになる。
【００２６】
図４−２に示す状態で、壁部側板状部１８とフランジ側板状部２４とが当接していること、および壁部４の下端と連絡部２５とが当接していることによって、フランジ部７が矢印Ｘに示す方向にさらに回転することが規制される。また、フランジ部７の回転軸Ｃが壁部４よりも内側に設けられるので、壁部側連結部１５やフランジ側連結部１６といった回転機構を壁部４よりも外側に設けずに済むため、保持枠２０の外周部から突出する部分をなくすことができる。
【００２７】
図５は、太陽電池モジュール１００を積層した状態を示す図である。図５に示すように、太陽電池モジュール１００を積層させる場合には、フランジ部７を壁部４の外側に移動させる。フランジ部７を壁部４の外側に移動させることで、フランジ部７が壁部４の内側にある状態でのフランジ部７間の距離Ｐ（図３も参照）よりも、フランジ部７が壁部４の外側にある状態でのフランジ部７間の距離Ｑのほうが大きくなる。さらに、フランジ部７が壁部４の外側にあることで、距離Ｑは保持枠２０の上端での外形の幅Ｒよりも大きくなる。すなわち、保持枠２０の下端の開口面積が太陽電池モジュール１００の上端面の面積よりも大きくなる。
【００２８】
したがって、太陽電池モジュール１００を積層する際に、上側の太陽電池モジュール１００のフランジ部７間に、下側の太陽電池モジュール１００の上端を挿入させることができ、積層高さの抑制を図ることができる。これにより、限られた高さ内により多くの太陽電池モジュール１００を積載することができる。
【００２９】
また、上側の太陽電池モジュール１００のフランジ部７と、下側の太陽電池モジュール１００の保持枠２０とが嵌まり合うことで、積層された太陽電池モジュール１００にずれが生じにくく、運搬性の向上を図ることができる。また、下方に向かうにしたがって広がるテーパ壁２５ａによって、太陽電池モジュール１００の上端が適切な位置に案内されるため、太陽電池モジュール１００を積層する際の位置合わせが容易になる。
【００３０】
図６は、太陽電池モジュール１００の設置例を示す図である。太陽電池モジュール１００は、レール部材２０１上に据え付けられる。太陽電池モジュール１００は、その上端部が係合部材２０２によって押さえつけられる。この状態で、係合部材２０２とレール部材２０１とをボルト部材２０３で結合させることで、太陽電池モジュール１００が固定される。
【００３１】
上述したように、保持枠２０の外周部に突出部分を設けていないため、突出する部分のない保持枠を用いた場合と同じモジュールピッチおよびモジュール高さにすることができるので、太陽電池モジュール１００自体の外形寸法を従来のものと同様にすることができる。したがって、太陽電池モジュール１００を固定するための係合部材２０２を専用品として用意せずに、従来品との共通化を図ることができる。
【００３２】
図７は、太陽電池モジュールの他の設置例を示す図である。図７に示すように、フランジ部７にボルト２６等の貫通が可能な孔７ａを形成しておけば、太陽電池パネル１０の受光面１０ａと垂直な固定面を有する架台３００にフランジ部７を介した固定も可能となる。この場合、ボルト２６の延びる方向が、太陽電池パネル１０の裏面１０ｂと平行になるので、比較的長いボルト２６を使用しても、太陽電池パネル１０と干渉することがない。そのため、太陽電池モジュール１００の設置時に、ボルト２６によって太陽電池パネル１０を傷つけてしまうといった、不具合の発生を抑えることができる。
【産業上の利用可能性】
【００３３】
以上のように、本発明にかかる太陽電池モジュールは、太陽電池パネルの外周を保持する保持枠を備える太陽電池モジュールに有用である。
【符号の説明】
【００３４】
４  壁部、５  保持上片、６  保持下片、７  フランジ部、７ａ  孔、８  連結部、１０  太陽電池パネル、１０ａ  受光面、１０ｂ  裏面、１５  壁部側連結部、１６  フランジ側連結部、１７  壁部側第１半円部、１８  壁部側板状部、１９  壁部側第２半円部、２０  保持枠、２３  フランジ側半円部、２４  フランジ側板状部、２５  連絡部、２５ａ  テーパ壁、２６  ボルト、１００  太陽電池モジュール、２０１  レール部材、２０２  係合部材、２０３  ボルト部材。
【図１】
2014120642.tif 000003
【図２】
2014120642.tif 000004
【図３】
2014120642.tif 000005
【図４−１】
2014120642.tif 000006
【図４−２】
2014120642.tif 000007
【図５】
2014120642.tif 000008
【図６】
2014120642.tif 000009
【図７】
2014120642.tif 000010